(57)【要約】【課題】使用者が照明したい範囲を選択して照らすことができる照明装置を提供する。【解決手段】左の金属基板３２に実装された第一の光源たる左のＬＥＤ３１Ｌと、右の金属基板３２に実装された第二の光源たる右のＬＥＤ３１Ｒと、これらのＬＥＤ３１Ｌ，３１Ｒからの光をそれぞれ所定の方向に導く導光手段たる導光体３６Ｌ，３６Ｒとを備える。左右の前記ＬＥＤ３１Ｌ，３１Ｒは、前記導光体３６Ｌ，３６Ｒを挟んで互いに対向して設けられ、左右の前記ＬＥＤ３１Ｌ，３１Ｒが、それぞれ独立して点灯又は消灯可能であるから、左右の前記ＬＥＤ３１Ｌ，３１Ｒを同時に点灯させる点灯態様だけでなく、左の前記ＬＥＤ３１Ｌ又は右の前記ＬＥＤ３１Ｒのみを点灯させる点灯態様を選択することが可能になる。従って、使用者は、目的に応じて照明態様を選択することで、使用者が照明したい範囲を選択して照らすことができる。【選択図】図１
2014120440.tif 000002
【特許請求の範囲】
【請求項１】
第一の光源と、第二の光源と、前記第一の光源及び第二の光源からの光をそれぞれ所定の方向に導く導光手段とを備えた照明装置において、前記第一の光源と前記第二の光源は前記導光手段を挟んで互いに対向して設けられ、前記第一の光源及び前記第二の光源が、それぞれ独立して点灯又は消灯可能であることを特徴とする照明装置。
【請求項２】
前記導光手段が、前記第一の光源からの光を所定の方向に導く第一の導光手段と、前記第二の光源からの光を所定の方向に導く第二の導光手段からなることを特徴とする請求項１記載の照明装置。
【請求項３】
前記第一の光源のみを点灯させる第一の点灯態様、前記第二の光源のみを点灯させる第二の点灯態様、前記第一の光源及び第二の光源を同時に点灯させる第三の点灯態様のいずれかを選択可能な点灯切替操作部を備えたことを特徴とする請求項１記載の照明装置。
【請求項４】
腕部と、この腕部に対して可動に設けられた灯具とを備え、前記灯具内に前記第一の光源、前記第二の光源、及び前記導光手段を設けたことを特徴とする請求項１〜３のいずれか１項に記載の照明装置。
【発明の詳細な説明】
【技術分野】
【０００１】
本発明は、導光手段を用いた照明装置に関するものである。
【背景技術】
【０００２】
従来、この種の照明装置としては、導光板（本願発明の導光手段に相当する）と、導光板の対向する二つの側面にライト光源（本願発明の第一の光源及び第二の光源に相当する）を配置したものが知られている（例えば特許文献１参照）。
【先行技術文献】
【特許文献】
【０００３】
【特許文献１】特許第３００２６１８号公報
【発明の概要】
【発明が解決しようとする課題】
【０００４】
しかしながら、このような照明装置においては、導光板の両側に二つの光源を備えているものの、これらの光源のそれぞれを独立して点灯又は消灯することは従来されてこなかった。即ち、このような照明装置は、二つの光源を同時に点灯又は消灯することしかできないため、使用者が照明したい範囲を選択して照らすことができず、照明を必要としていない範囲も明るく照明してしまうという問題があった。
【０００５】
本発明は以上の問題点を解決し、使用者が照明したい範囲を選択して照らすことができる照明装置を提供することを目的とする。
【課題を解決するための手段】
【０００６】
本発明の請求項１に記載の照明装置は、第一の光源と、第二の光源と、前記第一の光源及び第二の光源からの光をそれぞれ所定の方向に導く導光手段とを備えた照明装置において、前記第一の光源と前記第二の光源は前記導光手段を挟んで互いに対向して設けられ、前記第一の光源及び前記第二の光源が、それぞれ独立して点灯又は消灯可能であることを特徴とする。
【０００７】
また、本発明の請求項２に記載の照明装置は、請求項１において、前記導光手段が、前記第一の光源からの光を所定の方向に導く第一の導光手段と、前記第二の光源からの光を所定の方向に導く第二の導光手段からなることを特徴とする。
【０００８】
また、本発明の請求項３に記載の照明装置は、請求項１において、前記第一の光源のみを点灯させる第一の点灯態様、前記第二の光源のみを点灯させる第二の点灯態様、前記第一の光源及び第二の光源を同時に点灯させる第三の点灯態様のいずれかを選択可能な点灯切替操作部を備えたことを特徴とする。
【０００９】
また、本発明の請求項４に記載の照明装置は、請求項１〜３のいずれか１項において、腕部と、この腕部に対して可動に設けられた灯具とを備え、前記灯具内に前記第一の光源、前記第二の光源、及び前記導光手段を設けたことを特徴とする。
【発明の効果】
【００１０】
本発明の請求項１に記載の照明装置は、以上のように構成することにより、前記第一の光源及び前記第二の光源は、それぞれ独立して点灯又は消灯可能にしたので、前記第一の光源及び第二の光源を同時に点灯させる点灯態様だけでなく、前記第一の光源又は前記第二の光源のみを点灯させる点灯態様のいずれかを選    択することが可能になる。従って、使用者は、目的に応じて、両光源を点灯させる点灯態様、又は一方の光源のみを点灯させる点灯態様を選択することで、使用者が照明したい範囲を選択して照らすことができるばかりでなく、用途に応じて電力を削減することがでる。
【００１１】
また、本発明の請求項２に記載の照明装置は、以上のように構成することにより、前記第一の光源又は前記第二の光源を選択的に点灯させ、一つの導光手段を用いて第一の光源又は第二の光源からの光をそれぞれ所定の方向に導くものと比べて、使用者が照明したい範囲を効率良く照明することができる。
【００１２】
また、本発明の請求項３に記載の照明装置は、以上のように構成することにより、点灯切替操作部を使用者が操作することで、前記第一の点灯態様、前記第二の点灯態様、前記第三の点灯態様のいずれかを容易に切替えて、選択することができる。
【００１３】
また、本発明の請求項４に記載の照明装置は、以上のように構成することにより、照明装置の設置位置を、使用者に対して右置きにしても左置きにしても、前記第一の点灯態様、前記第二の点灯態様のいずれかを選択すれば、使用者が照明したい範囲を選択して照明することができる。また、使用者は灯具の位置を自由に操作することで、使用者が照明したい範囲を調整することができる。
【図面の簡単な説明】
【００１４】
【図１】本発明の実施例１を示す照明装置の灯具の断面図である。
【図２】同上、導光手段周りの拡大断面図である。
【図３】同上、斜視図である。
【図４】同上、縦断面図である。
【図５】同上、底面図である。
【図６】同上、灯具を断面にした正面図である。
【図７】同上、回路のブロック図である。
【図８】同上、点灯態様を説明する説明図である。
【図９】本発明の実施例２を示す照明装置の灯具の断面図である。
【発明を実施するための形態】
【００１５】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
図１〜図８は実施例１を示す。１は照明装置である。この照明装置１は、机の天板等に取り付けるクランプ２と、このクランプ２の上部に取り付けられたベース部３と、このベース部３に回動可能に連結可能な柱状部４と、この柱状部４に対して上下一対の垂直回動機構５，５Ａにより回動可動に設けられた上下一対の腕部６，６Ａと、これら腕部６，６Ａに対して上下一対の垂直回動機構７，７Ａにより回動可能に設けた首部８と、この首部８に設けた垂直回動機構９、回動機構１０及び回動基部２６と、これら垂直回動機構９、回動機構１０及び回動基部２６により前記首部８に可動可能に設けられた灯具１１とを備える。なお、前記灯具１１の姿勢によらず、前記垂直回動機構５，５Ａ，７，７Ａ，９は回転中心が左右方向に水平であり、前記回動機構１０の回転中心である軸１０Ｊは垂直回動機構９の回転中心に直交する。更に、前記回動基部２６の軸２６Ｊは、前記軸１０Ｊと直交する。即ち、前記灯具１１を水平姿勢とした場合、前記軸１０Ｊは前後方向に水平となり、前記軸２６Ｊは垂直となる。また、前記上下一対の腕部６，６Ａは、平行リンクの一部を構成する。なお、説明を容易にするため、必要な図面には、照明装置１の左側Ｌ，右側Ｒの符号を付して説明する。
【００１７】
前記ベース部３は略円盤型をなし、その中央に上向き筒部１２を立設すると共に、この上向き筒部１２の周囲に円筒状の溝部１３を設ける。一方、前記柱状部４の底面には、前記溝部１３に挿入する下向き筒部１４を設ける。そして、この下向き筒部１４内に前記上向き筒部１２を挿入すると共に、前記溝部１３に下向き筒部１４の下部側を挿入することにより、前記ベース部３に対して前記柱状部４が回動可能に連結される。なお、柱状部４は中空であり、内部に後述する制御手段等を内蔵する。
【００１８】
図６等に示すように、前記柱状部４の正面側には、操作部１５が設けられ、この操作部１５は、中央に位置する主スイッチ１６と、この主スイッチ１６の周囲に略円弧状に設けた切替スイッチ１７及び調光スイッチ１８，１８Ａとを備える。前記切替スイッチ１７は、点灯切替操作部であって左右一側（左側Ｌ）に位置し、前記調光スイッチ１８，１８Ａは左右他側（右側Ｒ）で上下に配置されている。
【００１９】
前記灯具１１は、前後方向に長く形成されたケース本体２１を備える。このケース本体２１は合成樹脂からなる上ケース２２と下ケース２３とを備え、これら両ケース２２，２３の間に枠状の飾り縁部２４を設け、この飾り縁部２４を上下から挟むようにして、前記両ケース２２，２３が一体に組み立てられる。また、前記下ケース２３の中央には、略長方形の透明窓部２５が設けられており、この透明窓部２５は、透光性を有する合成樹脂からなる。なお、前記両ケース２２，２３と飾り縁部２４は不透光性である。
【００２０】
また、前記灯具１１の後下部に前記回動基部２６を設け、この回動基部２６の軸２６Ｊに対して灯具１１が回動可能に設けられ、前記回動基部２６が前記回動機構１０の前後方向の軸１０Ｊを中心に回動可能に設けられている。
【００２１】
図１に示すように、前記灯具１１は、前記ケース本体２１内の左右に、光源としての照明用のＬＥＤ３１を有する。左側ＬのＬＥＤ３１Ｌが第一の光源であり、右側ＲのＬＥＤ３１Ｒが第二の光源である。前記ＬＥＤ３１は、小面積の面状光源と見なすことができる。即ち、このＬＥＤ３１から放射される光は、平行光となる部分と、拡散光となる部分を有する。なお、前記ＬＥＤ３１は、金属基板３２上に前後方向一列に並べて実装され、右側ＲのＬＥＤ３１Ｒは左側Ｌに向かって光を放射し、左側ＬのＬＥＤ３１Ｌは右側Ｒに向かって光を放射する。
【００２２】
また、前記金属基板３２は、放熱体３３に接続される。この放熱体３３は、下部が開口するようにコ字状に折り曲げられた伝熱板３４と、この伝熱板３４の上面に接して設けられた放熱板３５とを備え、前記金属基板３２は、前記伝熱板３４の側面部３４Ａの内面に接して設けられる。
【００２３】
左右の前記ＬＥＤ３１の放射側には、導光手段としての導光体３６がそれぞれ設けられる。また、この導光体３６の上部は、反射体３７によって覆われる。それら導光体３６及び反射体３７は、前記伝熱板３４内に収納される。また、前記反射体３７の左右方向外側には、前記金属基板３２の上部と前記伝熱板３４の内面との間に係止する係止部３７Ｋが設けられる。また、前記伝熱板３４の下部開口には、枠部材３８が固定され、この枠部材３８は前記導光体３６を支持する支持部３８Ｓを有し、この支持部３８Ｓと前記反射体３７により上下から挟まれて前記導光体３６が固定される。なお、前記伝熱板３４及び枠部材３８は不透光性である。また、前記枠部材３８は、それ自体が反射率の高い白色の合成樹脂で構成される。
【００２４】
なお、前述したように、左側ＬのＬＥＤ３１Ｌが第一の光源であり、右側ＲのＬＥＤ３１Ｒが第二の光源である。また、左側Ｌの金属基板３２Ｌ，導光体３６Ｌ及び反射体３７Ｌが、それぞれ第一の基板、第一の導光体及び第一の反射体であり、右側Ｒの金属基板３２Ｒ、導光体３６Ｒ及び反射体３７Ｒが、それぞれ第二の基板、第二の導光体及び第二の反射体である。
【００２５】
前記導光体３６について詳述する。この導光体３６は、透明なアクリル樹脂によって形成される。そして、前記導光体３６は、前記ＬＥＤ３１に対向する入射面４１と、前記ＬＥＤ３１から放射された光のうち、拡散光を平行光に整える湾曲面４２と、光を所定の方向に反射する反射面４３と、この反射面４３で反射された光を前記導光体３６の外に放出する放出面４４とを有して構成される。なお、前記反射面４３は、複数の波型の凹凸部４３Ａを有する。また、前記放出面４４は、複数の波型の凹凸部４４Ａを有する。
【００２６】
前記反射体３７は、前記導光体３６の上面、即ち前記導光体３６の上側湾曲面４２及び反射面４３を覆うように構成される。前記反射体３７は、その下面が前記導光体３６の上面と同様の形状となるように、合成樹脂等によって形成される。また、前記反射体３７の下面には、メッキ等によって反射面となる反射層３７Ｈが形成される。なお、前記反射体３７は、それ自体を反射率の高い白色の合成樹脂で構成すれば、前記反射層３７Ｈを設けなくても良い。
【００２７】
前記照明装置１は、左右の前記ＬＥＤ３１Ｌ，３１Ｒの点灯態様を制御する制御手段５１を備える。また、図７に示すように、制御手段５１には、前記スイッチ１６，１７，１８，１８Ａと、左右の前記ＬＥＤ３１Ｌ，３１Ｒが電気的に接続されている。なお、前記照明装置１は、予め図示しない交流電源に接続されているものとする。
【００２８】
そして、前記制御手段５１は以下に説明する制御を行う。使用者が前記主スイッチ１６を操作することで、前記灯具１１に設けられた前記ＬＥＤ３１に電力が供給され、このＬＥＤ３１が発光する。また、使用者が調光スイッチ１８，１８Ａを操作することで、前記ＬＥＤ３１に供給される電力が段階的に調節され、このＬＥＤ３１の明るさが変化する。具体的には、上側の調光スイッチ１８を押すと、段階的に明るさが増し、下側の調光スイッチ１８Ａを押すと、段階的に暗くなる。また、この例では、調光は５段階に調整可能である。また、前記制御手段５１は、図示しない記憶手段を含む。この記憶手段は、前記ＬＥＤ３１Ｌ,３１Ｒの現在の点灯態様及び調光状態を記憶するものである。
【００２９】
なお、前記ＬＥＤ３１に通電することで発生する熱は、前記金属基板３２を介して前記放熱体３３に移動し、この放熱体３３から放出される。
【００３０】
更に、制御手段５１は左右のＬＥＤ３１Ｌ，３１Ｒの点灯を独立して制御する。具体的には、図８に示すように、前記主スイッチ１６をオンにすると、左右のＬＥＤ３１Ｌ，３１Ｒが同時に点灯する（第三の点灯態様）。ここから前記切替スイッチ１７を押して操作すると、第一の光源である左側Ｌの前記ＬＥＤ３１Ｌが点灯を続け、第二の光源である右側Ｒの前記ＬＥＤ３１Ｒが消灯する（第一の点灯形態）。ここから更に前記切替スイッチ１７を押すと、左側Ｌの前記ＬＥＤ３１Ｌが消灯し、右側Ｒの前記ＬＥＤ３１Ｒが点灯する（第二の点灯形態）。ここから更に前記切替スイッチ１７を押すと、再び第三の点灯態様に切り替わり、左右の前記ＬＥＤ３１Ｌ，３１Ｒが同時に点灯する。以下、前記切替スイッチ１７を操作する毎に、点灯態様が同様に切り替わる。なお、いずれかの点灯態様に切替えた後、主スイッチ１６を操作して電源をオフにし、この後、主スイッチ１６を操作して再び電源をオンにすると、図示しない前記記憶手段によって、電源をオフにする直前の点灯態様となる。また、前記ＬＥＤ３１の調光状態も、電源オフする直前の調光状態となる。
【００３１】
次に、前記照明装置１の照明状態について説明する。なお、前記灯具１１は左右対称であるから、前記灯具１１の左側Ｌを用いて説明する。図２において、左のＬＥＤ３１Ｌから放射された光は、前記入射面４１から前記導光体３６Ｌに入る。そして、前記ＬＥＤ３１Ｌから放射された光のうち、平行光となる部分は、前記導光体３６Ｌの反射面４３及び対応する前記反射体３７の反射層３７Ｈにおいて一次反射し、右斜め下方向に向かう。また、前記ＬＥＤ３１Ｌから放射された光のうち、拡散光となる部分は、前記導光体３６の湾曲面４２及び対応する前記反射体３７の反射層３７Ｈ又は前記枠部材３８の支持部３８Ｓにおいて一次反射して横方向の光軸と平行に整えられた後、前記導光体３６の反射面４３及び対応する前記反射体３７の反射層３７Ｈにおいて二次反射する。そして、前記反射面４３及び対応する前記反射体３７の反射層３７Ｈにおいて反射した光は、前述したように、右斜め下向きとなり、前記放出面４４において前記導光体３６から放出される。このようにして、前記ＬＥＤ３１Ｌとは左右反対側の部分が明るく照明される。なお、前記放出面４４から放出される光は、前記凹凸部４４Ａにおいて適度に拡散された後、前記透明窓部２５において、更に拡散する。また、第三の点灯態様に切り替えれば、左右両方の前記ＬＥＤ３１Ｌ，３１Ｒが点灯し、前記灯具１１の下方全体が広い範囲で明るく照明される。なお、補足すると、左右のいずれか一方の前記ＬＥＤ３１を点灯すると、前記灯具１１の下方中央を境に、他方側が明るく、一方側が暗くなるように、前記導光体３６が光を導光する。
【００３２】
このように本実施例では、請求項１に対応して、第一の光源たる左のＬＥＤ３１Ｌと、第二の光源たる右のＬＥＤ３１Ｒと、これらＬＥＤ３１Ｌ，３１Ｒからの光をそれぞれ所定の方向に導く導光手段たる導光体３６Ｌ，３６Ｒとを備えた照明装置１において、左の前記ＬＥＤ３１Ｌと右の前記ＬＥＤ３１Ｒを、前記導光体３６Ｌ，３６Ｒを挟んで互いに対向して設け、左右のＬＥＤ３１Ｌ，３１Ｒを、それぞれ独立して点灯又は消灯可能としたので、左右の前記ＬＥＤ３１Ｌ，３１Ｒを同時に点灯させる点灯態様だけでなく、一方のＬＥＤ３１Ｌ又は３１Ｒのみを点灯させる点灯態様を選択することが可能になる。従って、使用者は、目的に応じて点灯態様を選択することで、使用者が照明したい範囲を選択して照らすことができる。
【００３３】
また、このように本実施例では、請求項２に対応して、導光手段が、左の前記ＬＥＤ３１Ｌからの光を所定の方向である右斜め下方に導く第一の導光手段たる左の前記導光体３６Ｌと、右の前記ＬＥＤ３１Ｒからの光を所定の方向である左斜め下方に導く第二の導光手段たる右の前記導光体３６Ｒからなるから、前記導光体３６Ｌと導光体３６Ｒとの間で相互に光が行き来するのを抑制でき、前記ＬＥＤ３１Ｌ，３１Ｒのいずれか一方を点灯させる場合に、一つの導光手段を用いて左のＬＥＤ３１Ｌ又は右のＬＥＤ３１Ｒからの光をそれぞれ所定の方向に導くものと比べて、使用者が照明したい範囲を効率良く照明することができるばかりでなく、用途に応じて電力を削減することができる。
【００３４】
また、このように本実施例では、請求項３に対応して、左のＬＥＤ３１Ｌのみを点灯させる第一の点灯態様、右のＬＥＤ３１Ｒのみを点灯させる第二の点灯態様、左右のＬＥＤ３１Ｌ，３１Ｒを同時に点灯させる第三の点灯態様のいずれかを選択可能な点灯切替操作部たる切替スイッチ１７を備えたから、この切替スイッチ１７を使用者が操作することで、第一の点灯態様、第二の点灯態様、第三の点灯態様のいずれかを容易に切替えて、選択することができる。
【００３５】
更に、このように本実施例では、請求項４に対応して、腕部６，６Ａと、この腕部６，６Ａに対して可動に設けられた灯具１１とを備え、この灯具１１内に左の前記ＬＥＤ３１Ｌ、右の前記ＬＥＤ３１Ｒ、及び前記導光体３６Ｌ，３６Ｒを設けたから、前記照明装置１の設置位置を、使用者に対して右置きにしても左置きにしても、第一の点灯態様、第二の点灯態様のいずれかを選択すれば、使用者が照明したい範囲を選択して照明することができる。
【００３６】
また、使用者は、前記灯具１１の位置を自由に操作することで、使用者が照明したい範囲を調整することができる。
【００３７】
また、テーブルなどにおいて、前記照明装置１を左右に挟んで向かい合わせで着座して使用する場合、左右両側に着座した場合は、第三の点灯態様により両ＬＥＤ３１Ｌ，３１Ｒを点灯して左右両側を照明し、左右一方に着座した場合は、左右反対側のＬＥＤ３１Ｌ又は３１Ｒを点灯して左右他方側を照明して使用することができ、利便性に優れる。
【００３８】
以下、実施例上の効果として、前記伝熱板３４の側面部３４Ａに金属基板３２を接して設け、その伝熱板３４に放熱板３５を接して設けたことにより、金属基板３２の放熱を良好に行うことができる。
【００３９】
さらに、不透光性部材からなる前記枠部材３８の支持部３８Ｓにより、前記導光体３６を支持することができると共に、前記枠部材３８が見返し板として作用し、入射面４１の近傍から下方に光が漏れることを防止すると共に、左右中央側に光を導くことができる。
【００４０】
また、前記主スイッチ１６を操作して電源をオンにすると、電源をオフにする直前の点灯態様となるから、電源をオンする度に前記切替スイッチ１７を操作することなく、以前の点灯形態で使用することができる。
【実施例２】
【００４１】
図９は、本発明の実施例２を上記実施例１と同一部分に同一符号を付し、その詳細な説明を省略して詳述する。
【００４２】
この例は、導光体３６を用いておらず、前記反射層３７Ｈを有する前記反射体３７により導光手段を構成している。
【００４３】
このように、本実施例では、第一の光源たる左のＬＥＤ３１Ｌと、第二の光源たる右のＬＥＤ３１Ｒと、ＬＥＤ３１Ｌ，３１Ｒからの光をそれぞれ所定の方向に導く第一の導光手段たる反射体３７Ｌ及び第二の導光手段たる反射体３７Ｒとを備えた照明装置１において、左の前記ＬＥＤ３１Ｌと右の前記ＬＥＤ３１Ｒを、前記反射体３７Ｌ，３７Ｒを挟んで互いに対向して設けたから、上記実施例１と同様な作用・効果を奏する。
【００４４】
また、前記反射体３７の下面を、実施例１における導光体３６の上面に倣った形状としたから、左右方向外側から導光手段としての反射体３７で反射した光を、左右方向他方の斜め下側へと導くことができる。
【００４５】
なお、本発明は以上の実施例に限定されるものではなく、発明の要旨の範囲内で種々の変形実施が可能である。例えば、腕部は１本でもよい。また、光源はＬＥＤ以外でも各種のものを用いることができる。さらに、第一から第三の点灯態様（照明モード）の順番は、適宜選定可能である。また、実施例では、１つの切替スイッチを例示したが、各点灯態様毎に切替スイッチを設けてもよい。また、放出面の凹凸部４４Ａの形状や大きさは適宜選定可能である。
【符号の説明】
【００４６】
１  照明装置
６  腕部
６Ａ  腕部
１１  灯具
１７  切替スイッチ（点灯切替操作部）
１８  調光スイッチ
１８Ａ  調光スイッチ
３１  照明用ＬＥＤ（光源）
３１Ｌ  左側のＬＥＤ（第一の光源）
３１Ｒ  右側のＬＥＤ（第二の光源）
３６  導光体（導光手段）
３６Ｌ  導光体（第一の導光手段）
３６Ｒ  導光体（第二の導光手段）
３７  反射体（導光手段）
３７Ｌ  反射体（第一の導光手段）
３７Ｒ  反射体（第二の導光手段）
５１  制御手段
【図１】
2014120440.tif 000003
【図２】
2014120440.tif 000004
【図３】
2014120440.tif 000005
【図４】
2014120440.tif 000006
【図５】
2014120440.tif 000007
【図６】
2014120440.tif 000008
【図７】
2014120440.tif 000009
【図８】
2014120440.tif 000010
【図９】
2014120440.tif 000011